(57)【要約】【課題】  本発明は、ビル免震装置において、基礎杭の頭部に杭補強部を設け、その上面に滑り材・積層ゴム支承・エアジャッキの組合せを置き、ジャッキ受け柱を立て、ビルの土台を乗せ、振動を低減し、土台の位置を修正し、土台の浮き上がりを押さえる等の働きをするビル免震装置を得ることにある。【解決手段】  ビル免震装置において、基礎杭の頭部に杭補強部を設け、その上面に滑り材・積層ゴム支承・エアジャッキの組合せを置き、その上にビルの土台を乗せ、振動を低減し、又、杭補強部の上にジャッキ受け柱を立て、オイルジャッキとバネ等により土台の位置を修正し、土台の浮き上がりを押さえる等の働きをするように構成したビル免震装置を提供する。【選択図】  図1
2020084467.tif 000002
【特許請求の範囲】
【請求項１】
ビル免震装置において、基礎杭の上部又は頭部に基礎杭補強部を設け、該基礎杭補強部の上面に土台支持用滑り材とエアジャッキ（又はオイルジャッキ）を備えた積層ゴム支承を取り付け、複数のジャッキ受け柱を立て、ジャッキ受け柱とビルの土台の間にオイルジャッキ（水平）を取り付け、ジャッキ受け柱の上部に柱結合用枠を取り付け、ビルの土台と柱結合用枠の間に土台押さえバネを取り付けること等から構成されることを特徴とする、ビル免震装置。
【請求項２】
請求項1において、基礎杭補強部は、各基礎杭の上部又は頭部に取り付けられ、上面に土台支持用滑り材とエアジャッキを備えた一つ以上の土台支持用積層ゴム支承、複数のジャッキ受け柱、複数のオイルジャッキ、複数の土台押さえバネ等が取り付けられることを特徴とする、ビル免震装置。
【請求項３】
請求項1において、ジャッキ受け柱は、各基礎杭補強部上に複数個立てられ、上部は柱結合用枠で一体化され、ビルの土台との間に土台戻し用又は位置修正用オイルジャッキを備え、柱結合用枠とビルの土台との間に土台押さえバネを備えること等を特徴とする、ビル免震装置。
【請求項４】
請求項１において、土台支持用滑り材とエアジャッキを備えた積層ゴム支承は、直下型地震等に対応するための構成であり、オイルジャッキを用いることも可能であり、衝撃等を低減することを特徴とする、ビル免震装置。
【請求項５】
請求項１において、土台押さえバネは、ビルの土台と柱結合用枠の間に備えられ、ビルの倒壊等を防ぐことを特徴とする、ビル免震装置。
【発明の詳細な説明】
【技術分野】
【０００１】
本発明は、地震によるビル倒壊等を防ぐためのビル免振装置に関する。
【背景技術】
【０００２】
従来は、ビル等の免震建物等に適用されるビル免震装置として、積層板法、滑り法、コロ法、鋼球法、これらを組合せたハイブリッド法等から構成されるビル免震装置が用いられていた。
【０００３】
従って、従来のビル免震装置は、積層板法、滑り法、コロ法、鋼球法、ハイブリッド法等から構成されているが、高価であり、一層の改善が望まれる等の欠点があった。
【発明の概要】
【発明が解決しようとする課題】
【０００４】
本発明は、以上のような従来の欠点に鑑み、安価で、ビル倒壊防止等に強い、ビル免震装置を提供することを目的とする。
【課題を解決するための手段】
【０００５】
上記目的を達成するために、本発明は、基礎杭の頭部に設けた基礎杭補強部、土台支持用滑り材とエアジャッキを備えた積層ゴム支承、ジャッキ受け柱、ジャッキ結合用枠、土台位置戻し用又は修正用オイルジャッキ、土台押さえ用バネ、等から構成されるビル免震装置を提供する。
【発明の効果】
【０００６】
以上の説明から明らかなように、本発明にあっては、次に列挙する効果が得られる。
（１）本発明は、基礎杭補強部、土台支持用滑り材とエアジャッキを備えた積層ゴム支承、ジャッキ受け柱、ジャッキ受け柱結合用枠、土台位置戻し用又は位置修正用オイルジャッキ、土台押さえ用バネ、等から構成されているので、ビルの免震と倒壊防止に優れている。
【０００７】
（２）前記（１）において、基礎杭補強部は、各基礎杭に取り付けられ、複数のジャッキ受け柱、複数の積層ゴム支承、複数のオイルジャッキ、複数のエアジャッキ、複数の土台押さえ用バネ、等を備えているので、安定したビル免震装置を提供でき、直下地震等に対応できる。
【０００８】
（３）前記（１）において、ジャッキ受け柱は、基礎杭補強部に取り付けられているので、ビルの土台を元の位置に戻すこと又は位置を修正すること等が容易にできる。
【０００９】
（４）前記（１）において、ジャッキ受け柱結合用枠は、ジャッキ受け柱の上部を結合する枠であり、複数のジャッキ受け柱を一体化でき、安定したビル免震装置を提供できる。
【００１０】
（５）前記（１）において、土台押さえバネは、土台を押さえているので、地震によるビルの倒壊等を防ぐことが可能である。
【図面の簡単な説明】
【００１１】
【図１】本発明を実施するための第一の形態の、ビル免震装置の側面図である。
【図２】ビル免震装置の平面図である。
【発明を実施するための形態】
【００１２】
以下、本発明の実施の形態を図に基づいて説明する。
【実施例１】
【００１３】
図1は、本発明の実施例1の、ビル免震装置の側面図である。側面図は図２のA-A’断面図を示す。１はビルの土台、２はビルの柱、３は基礎杭、４は地盤、５は基礎杭補強部、６は積層ゴム支承、７はエアジャッキ（又は、オイルジャッキ）、８は土台支持用滑り材（ローラ材等）、９はジャッキ受け柱、１０は土台位置戻し用又は位置修正用オイルジャッキ（水平）、１１は柱結合用枠、１２はナット、１３は土台押さえバネ、１４は枠締付バネである。ビルの土台１は積層ゴム支承６の上に置かれたエアジャッキ６の上に乗せられる。ビルの柱２はビルの土台１の上に立てられる。基礎杭３は地盤４に打ち込まれ、基礎杭３の上部又は頭部に基礎杭補強部５が設けられ、この基礎杭補強部５の上に土台支持用滑り材（ローラ材等）８が取り付けられ、ジャッキ受け柱９が立てられる。土台支持用滑り材８の上には積層ゴム支承６とエアジャッキ７が置かれ、その上にビルの土台1が乗せられる。地震の振動は土台支持用滑り材８、積層ゴム支承６、エアジャッキ7を経てビルの土台１に到達する。ジャッキ受け柱９はオイルジャッキ（水平）１０を受け、ビルの土台１の元の位置に戻すこと又は位置修正等を可能とする。柱結合用枠１１はジャッキ受け柱９の上部に取り付けられ、複数のジャッキ受け柱９を結合し、一体化する。又、柱結合用枠１１はビルの土台１との間に土台押さえバネ１３を備え、ビルの土台１の浮き上がりを防ぎ、ビルの倒壊等を防ぐ。ナット１２はジャッキ受け柱９の上端に設けられたボルト（図示なし）により、枠締付バネ１４を介して柱結合用枠１１をジャッキ受け柱９に取り付ける。
【００１４】
図２は、ビル免震装置の平面図である。平面図は図１のB-B’断面図を示す。基礎杭補強部５は基礎杭３の上部又は頭部に設けられる。基礎杭補強部５の形は正方形で示したが、形は任意であり、矩形、円形、楕円形、その他、等の何れも可能である。ビルの土台１は十字型の場合を示したが、I型、T型、その他、等の何れも可能である。ジャッキ受け柱９は四個の場合を示したが、個数に制限はない。又、ジャッキ受け柱９は、壁、ブロック、その他、等の何れも可能である。ジャッキ受け柱９は、ビルの土台１の浮き上がりを防ぐために、基礎杭３又は基礎杭補強部５に十分な強度で固定される必要がある。但し、ジャッキ受け柱９の固定方法の図示は省略した。積層ゴム支承６の下部と上部に、土台支持用滑り材（ローラ材等）８とエアジャッキ（又はオイルジャッキ）７を設けたが、これに限定するものではなく、必要に応じて変更することは可能である。積層ゴム支承６の数は５個の場合を示したが、個数に制限はない。
【産業上の利用可能性】
【００１５】
本発明は、ビル免震装置に関し、設計、製作、販売、施工、設置、管理する産業で利用される。
【符号の説明】
【００１６】
１    ビルの土台
２    ビルの柱
３    基礎杭
４    地盤
５    基礎杭補強部
６    積層ゴム支承
７    エアジャッキ（又はオイルジャッキ）
８    土台支持用滑り材（ロール材等）
９    ジャッキ受け柱
１０  土台位置戻し用又は位置修正用オイルジャッキ
１１  柱結合用枠
１２  ナット
１３  土台押さえバネ
１４  枠締付バネ
【図１】
2020084467.tif 000003
【図２】
2020084467.tif 000004